(57)【要約】  本発明の実施形態は、データ伝送方法、アクセス・ポイントおよび局を提供する。この方法は、指示フレームをアクセス・ポイントＡＰに送信するステップを含む。指示フレームは、該指示フレームのタイプが節電ポーリングＰＳ−ＰＯＬＬフレームであることを示すために用いられる第１の指示情報と、該指示フレームのデュレーションを示すために用いられる第２の指示情報とを含む。また、該方法は、第２の指示情報によって示されるデュレーション内にデータフレームをＡＰに送信するステップを含む。本発明の実施形態によれば、ＳＴＡは、指示フレームを使用することによりＰＳ−ＰＯＬＬをＡＰに送信し、チャネルデュレーションを確保する。よって、ＳＴＡは、ＡＰによって送信されたダウリンク・データ・フレームを受信した後にアップリンク・データ・フレームをＡＰに送信するときに、再びチャネルを競合する必要がなく、該ＳＴＡは、１つのＴＸＯＰ内にダウンリンク・データを受信しアップリンク・データを送信することができる。その結果、ＳＴＡがチャネルを競合するときに消費されるリソースを削減し、ＳＴＡのエネルギー利用率を改善することができる。
2015508263.tif 000002
【特許請求の範囲】
【請求項１】
指示フレームをアクセス・ポイント（Ａｃｃｅｓｓ  Ｐｏｉｎｔ：ＡＰ）に送信するステップであって、前記指示フレームは、前記指示フレームのタイプが節電ポーリング（Ｐｏｗｅｒ  Ｓａｖｉｎｇ  Ｐｏｌｌｉｎｇ：ＰＳ−ＰＯＬＬ）フレームであることを示すために用いられる第１の指示情報と、前記指示フレームのデュレーションを示すために用いられる第２の指示情報とを有する、ステップと、
前記第２の指示情報によって示される前記デュレーション内にデータフレームを前記ＡＰに送信するステップと、
を含む、データ伝送方法。
【請求項２】
前記指示フレームは、媒体アクセス制御（Ｍｅｄｉａ  Ａｃｃｅｓｓ  Ｃｏｎｔｒｏｌ：ＭＡＣ）層の拡張ＰＳ−ＰＯＬＬフレームであり、前記拡張ＰＳ−ＰＯＬＬフレームは、フレーム制御フィールドで前記第１の指示情報を搬送し、また、前記拡張ＰＳ−ＰＯＬＬフレームはデュレーションフィールドを含み、前記デュレーションフィールドで前記第２の指示情報を搬送する、
請求項１に記載の方法。
【請求項３】
前記指示フレームは、媒体アクセス制御（Ｍｅｄｉａ  Ａｃｃｅｓｓ  Ｃｏｎｔｒｏｌ：ＭＡＣ）層の制御フレームであり、前記制御フレームは制御ラッパー・フレームであり、前記制御ラッパー・フレームは、キャリード・フレーム制御（Ｃａｒｒｉｅｄ  Ｆｒａｍｅ  Ｃｏｎｔｒｏｌ）フィールドで前記第１の指示情報を搬送し、デュレーション／ＩＤ（Ｄｕｒａｔｉｏｎ／ＩＤ）フィールドで前記第２の指示情報を搬送する、
請求項１に記載の方法。
【請求項４】
前記指示フレームは、ヌル・データ・パケットであり、前記ヌル・データ・パケットは、信号フィールドで前記第１の指示情報および前記第２の指示情報を搬送する、
請求項１に記載の方法。
【請求項５】
前記指示フレームは、サービス品質制御フィールドを含み、前記サービス品質制御フィールドで搬送される前記指示フレームのサービス品質レベルは、アクセス・カテゴリ＿ビデオ（Ａｃｃｅｓｓ  Ｃａｔｅｇｏｒｙ＿Ｖｉｄｅｏ：ＡＣ＿ＶＩ）レベルまたはアクセス・カテゴリ＿ボイス（Ａｃｃｅｓｓ  Ｃａｔｅｇｏｒｙ＿Ｖｏｉｃｅ：ＡＣ＿ＶＯ）レベルである、
請求項１乃至３のいずれか１項に記載の方法。
【請求項６】
局（Ｓｔａｔｉｏｎ：ＳＴＡ）によって送信される指示フレームを受信するステップであって、前記指示フレームは、前記指示フレームのタイプが節電ポーリング（Ｐｏｗｅｒ  Ｓａｖｉｎｇ  Ｐｏｌｌｉｎｇ：ＰＳ−ＰＯＬＬフレーム）であることを示すために用いられる第１の指示情報と、前記指示フレームのデュレーションを示すために用いられる第２の指示情報とを有する、ステップと、
前記第２の指示情報によって示される前記デュレーション内に、前記ＳＴＡによって送信されたデータフレームを受信するステップと、
を含むデータ伝送方法。
【請求項７】
前記指示フレームは、媒体アクセス制御（Ｍｅｄｉａ  Ａｃｃｅｓｓ  Ｃｏｎｔｒｏｌ：ＭＡＣ）層の拡張ＰＳ−ＰＯＬＬフレームであり、前記拡張ＰＳ−ＰＯＬＬフレームは、フレーム制御フィールドで前記第１の指示情報を搬送し、また、前記拡張ＰＳ−ＰＯＬＬフレームはデュレーションフィールドを含み、前記デュレーションフィールドで前記第２の指示情報を搬送する、
請求項６に記載の方法。
【請求項８】
前記指示フレームは、媒体アクセス制御（Ｍｅｄｉａ  Ａｃｃｅｓｓ  Ｃｏｎｔｒｏｌ：ＭＡＣ）層の制御フレームであり、前記制御フレームは制御ラッパー・フレームであり、前記制御ラッパー・フレームは、キャリード・フレーム制御（Ｃａｒｒｉｅｄ  Ｆｒａｍｅ  Ｃｏｎｔｒｏｌ）フィールドで前記第１の指示情報を搬送し、デュレーション／ＩＤ（Ｄｕｒａｔｉｏｎ／ＩＤ）フィールドで前記第２の指示情報を搬送する、
請求項６に記載の方法。
【請求項９】
前記指示フレームは、ヌル・データ・パケットであり、前記ヌル・データ・パケットは、信号フィールドで前記第１の指示情報および前記第２の指示情報を搬送する、
請求項６に記載の方法。
【請求項１０】
前記指示フレームは、サービス品質制御フィールドを含み、前記サービス品質制御フィールドで搬送される前記指示フレームのサービス品質レベルは、アクセス・カテゴリ＿ビデオ（Ａｃｃｅｓｓ  Ｃａｔｅｇｏｒｙ＿Ｖｉｄｅｏ：ＡＣ＿ＶＩ）レベルまたはアクセス・カテゴリ＿ボイス（Ａｃｃｅｓｓ  Ｃａｔｅｇｏｒｙ＿Ｖｏｉｃｅ：ＡＣ＿ＶＯ）レベルである、
請求項６乃至９のいずれか１項に記載の方法。
【請求項１１】
指示フレームをアクセス・ポイント（Ａｃｃｅｓｓ  Ｐｏｉｎｔ：ＡＰ）に送信するように構成される送信ユニットであって、前記指示フレームは、前記指示フレームのタイプが節電ポーリング（Ｐｏｗｅｒ  Ｓａｖｉｎｇ  Ｐｏｌｌｉｎｇ：ＰＳ−ＰＯＬＬ）フレームであることを示すために用いられる第１の指示情報と、前記指示フレームのデュレーションを示すために用いられる第２の指示情報をと有する、送信ユニットと、
前記第２の指示情報によって示される前記デュレーション内に前記ＡＰにデータフレームを送信するように構成される受信ユニットと、
を備える局。
【請求項１２】
前記送信ユニットによって送信される前記指示フレームは、媒体アクセス制御（Ｍｅｄｉａ  Ａｃｃｅｓｓ  Ｃｏｎｔｒｏｌ：ＭＡＣ）層の拡張ＰＳ−ＰＯＬＬフレームであり、前記拡張ＰＳ−ＰＯＬＬフレームは、フレーム制御フィールドで前記第１の指示情報を搬送し、また、前記拡張ＰＳ−ＰＯＬＬフレームはデュレーションフィールドを含み、前記デュレーションフィールドで前記第２の指示情報を搬送する、
請求項１１に記載の局。
【請求項１３】
前記送信ユニットによって送信される前記指示フレームは、媒体アクセス制御（Ｍｅｄｉａ  Ａｃｃｅｓｓ  Ｃｏｎｔｒｏｌ：ＭＡＣ）層の制御フレームであり、前記制御フレームは制御ラッパー・フレームであり、前記制御ラッパー・フレームは、キャリード・フレーム制御（Ｃａｒｒｉｅｄ  Ｆｒａｍｅ  Ｃｏｎｔｒｏｌ）フィールドで前記第１の指示情報を搬送し、デュレーション／ＩＤ（Ｄｕｒａｔｉｏｎ／ＩＤ）フィールドで前記第２の指示情報を搬送する、
請求項１１に記載の局。
【請求項１４】
前記送信ユニットによって送信される前記指示フレームは、ヌル・データ・パケットであり、前記ヌル・データ・パケットは、信号フィールドで前記第１の指示情報および前記第２の指示情報を搬送する、
請求項１１に記載の局。
【請求項１５】
前記送信ユニットによって送信される前記指示フレームは、サービス品質制御フィールドを含み、前記サービス品質制御フィールドで搬送される前記指示フレームのサービス品質レベルは、アクセス・カテゴリ＿ビデオ（Ａｃｃｅｓｓ  Ｃａｔｅｇｏｒｙ＿Ｖｉｄｅｏ：ＡＣ＿ＶＩ）レベルまたはアクセス・カテゴリ＿ボイス（Ａｃｃｅｓｓ  Ｃａｔｅｇｏｒｙ＿Ｖｏｉｃｅ：ＡＣ＿ＶＯ）レベルである、
請求項１１乃至１４のいずれか１項に記載の局。
【請求項１６】
局（Ｓｔａｔｉｏｎ：ＳＴＡに）よって送信される指示フレームを受信するように構成される受信ユニット、
を備え、
前記指示フレームは、前記指示フレームのタイプが節電ポーリング（Ｐｏｗｅｒ  Ｓａｖｉｎｇ  Ｐｏｌｌｉｎｇ：ＰＳ−ＰＯＬＬ）フレームであることを示すために用いられる第１の指示情報と、前記指示フレームのデュレーションを示すために用いられる第２の指示情報とを有し、
前記受信ユニットはさらに、前記第２の指示情報によって示される前記デュレーション内に、前記ＳＴＡによって送信されたデータフレームを受信するように構成される、
アクセス・ポイント。
【請求項１７】
前記受信ユニットによって受信される前記指示フレームは、媒体アクセス制御（Ｍｅｄｉａ  Ａｃｃｅｓｓ  Ｃｏｎｔｒｏｌ：ＭＡＣ）層の拡張ＰＳ−ＰＯＬＬフレームであり、前記拡張ＰＳ−ＰＯＬＬフレームは、フレーム制御フィールドで前記第１の指示情報を搬送し、また、前記拡張ＰＳ−ＰＯＬＬフレームはデュレーションフィールドを含み、前記デュレーションフィールドで前記第２の指示情報を搬送する、
請求項１６に記載のアクセス・ポイント。
【請求項１８】
前記受信ユニットによって受信される前記指示フレームは、媒体アクセス制御（Ｍｅｄｉａ  Ａｃｃｅｓｓ  Ｃｏｎｔｒｏｌ：ＭＡＣ）層の制御フレームであり、前記制御フレームは制御ラッパー・フレームであり、前記制御ラッパー・フレームは、キャリード・フレーム制御（Ｃａｒｒｉｅｄ  Ｆｒａｍｅ  Ｃｏｎｔｒｏｌ）フィールドで前記第１の指示情報を搬送し、デュレーション／ＩＤ（Ｄｕｒａｔｉｏｎ／ＩＤ）フィールドで前記第２の指示情報を搬送する、
請求項１６に記載のアクセス・ポイント。
【請求項１９】
前記受信ユニットによって受信される前記指示フレームは、ヌル・データ・パケットであり、前記ヌル・データ・パケットは、信号フィールドで前記第１の指示情報および前記第２の指示情報を搬送する、
請求項１６に記載のアクセス・ポイント。
【請求項２０】
前記受信ユニットによって受信される前記指示フレームは、サービス品質制御フィールドを含み、前記サービス品質制御フィールドで搬送される前記指示フレームのサービス品質レベルは、アクセス・カテゴリ＿ビデオ（Ａｃｃｅｓｓ  Ｃａｔｅｇｏｒｙ＿Ｖｉｄｅｏ：ＡＣ＿ＶＩ）レベルまたはアクセス・カテゴリ＿ボイス（Ａｃｃｅｓｓ  Ｃａｔｅｇｏｒｙ＿Ｖｏｉｃｅ：ＡＣ＿ＶＯ）レベルである、
請求項１６乃至１９のいずれか１項に記載のアクセス・ポイント。
【発明の詳細な説明】
【技術分野】
【０００１】
本発明の実施形態は、無線通信の分野に関し、詳しくは、データ伝送方法、アクセス・ポイントおよび局に関する。
【背景技術】
【０００２】
無線ローカル・エリア・ネットワーク（Ｗｉｒｅｌｅｓｓ  Ｌｏｃａｌ  Ａｒｅａ  Ｎｅｔｗｏｒｋ、略称ＷＬＡＮ）システムでは、高い省エネルギー要件をもつ局（Ｓｔａｔｉｏｎ、略称ＳＴＡ）、例えばセンサ局が存在することがある。規格では、ＳＴＡの節電（Ｐｏｗｅｒ  Ｓａｖｉｎｇ、略称ＰＳ）モードが定義される。ＰＳモードを選択するＳＴＡは、１つ以上のビーコン（ｂｅａｃｏｎ）間隔中にスリープ状態であることがある。アクセス・ポイント（Ａｃｅｓｓ  Ｐｏｉｎｔ、略称ＡＰ）は、ＳＴＡのデータをキャッシュするとき、ビーコンを使用してＳＴＡに通知する。ＳＴＡは、節電ポーリング（Ｐｏｗｅｒ  Ｓａｖｉｎｇ  Ｐｏｌｌｉｎｇ、略称ＰＳ−ＰＯＬＬ）フレームを使用することにより、キャッシュされたデータをＡＰから取得することを要求することがある。ＰＳ−ＰＯＬＬフレームのレベルは、アクセス・カテゴリ−ベスト・エフォート、略称ＡＣ−ＢＥ）であり、対応する伝送機会（Ｔｒａｎｓｍｉｓｓｉｏｎ  Ｏｐｐｏｒｔｕｎｉｔｙ、略称ＴＸＯＰ）は零であり、すなわち、１つのデータフレームだけが伝送されることを許可される。ＳＴＡがＡＰによって送信されたダウンリンク・データを受信した後にアップリンク・データをＡＰに送信ことを意図する場合、新しいＴＸＯＰを確立するためにチャネル競合が再び行われる必要があり、その結果、高い省エネルギー要件をもつＳＴＡのリソース消耗を引き起こす。
【発明の概要】
【発明が解決しようとする課題】
【０００３】
本発明の実施形態は、ＳＴＡが１つのＴＸＯＰ内にダウンリンク・データを受信しアップリンク・データを送信することを可能にするデータ伝送方法を提供する。該方法により、ＳＴＡがチャネルを競合するときに消費されるリソースを削減し、ＳＴＡのエネルギー利用率を改善することができる。
【課題を解決するための手段】
【０００４】
一態様によれば、データ伝送方法が提供される。該データ伝送方法は、
指示フレームをアクセス・ポイントＡＰに送信するステップであって、該指示フレームは、該指示フレームのタイプが節電ポーリング（Ｐｏｗｅｒ  Ｓａｖｉｎｇ  Ｐｏｌｌｉｎｇ：ＰＳ−ＰＯＬＬ）フレームであることを示すために用いられる第１の指示情報と、該指示フレームのデュレーションを示すために用いられる第２の指示情報とを有する、ステップと、
該第２の指示情報によって示される該デュレーション内にデータフレームを該ＡＰに送信するステップと、
を含む。
【０００５】
別の態様によれば、該ＳＴＡによって送信された指示フレームを受信する方法が提供される。ここで該指示フレームは、該指示フレームのタイプがＰＳ−ＰＯＬＬフレームであることを示すために用いられる第１の指示情報と、該指示フレームのデュレーションを示すために用いられる第２の指示情報とを含む。また、該ＳＴＡによって送信されたデータフレームは、該第２の指示情報によって示される該デュレーション内に受信される。
【０００６】
別の態様によれば、局が提供される。該局は、
指示フレームをＡＰに送信するように構成される送信ユニットであって、該指示フレームは、該指示フレームのタイプがＰＳ−ＰＯＬＬフレームであることを示すために用いられる第１の指示情報と、該指示フレームのデュレーションを示すために用いられる第２の指示情報とを有する、送信ユニットと、
該第２の指示情報によって示される該デュレーション内に該ＡＰにデータフレームを送信するように構成される受信ユニットと、
を有する。
【０００７】
別の態様によれば、アクセス・ポイントが提供される。該アクセス・ポイントは、該ＳＴＡによって送信される指示フレームを受信するように構成される受信ユニットを備える。ここで、該指示フレームは、該指示フレームのタイプが節電ポーリングＰＳ−ＰＯＬＬフレームであることを示すために用いられる第１の指示情報と、該指示フレームのデュレーションを示すために用いられる第２の指示情報とを含む。該受信ユニットはさらに、該第２の指示情報によって示される該デュレーション内に、該ＳＴＡによって送信されたデータフレームを受信するように構成される。
【発明の効果】
【０００８】
本発明の実施形態によれば、指示フレームを使用することにより、ＳＴＡは、ＰＳ−ＰＯＬＬをＡＰに送信すると共に、チャネルデュレーションを確保する。よって、ＳＴＡは、ＡＰによって送信されたダウリンク・データ・フレームを受信した後にアップリンク・データ・フレームをＡＰに送信するときに、再びチャネルを競合する必要がなく、該ＳＴＡは、１つのＴＸＯＰ内にダウンリンク・データを受信しアップリンク・データを送信することができる。その結果、ＳＴＡがチャネルを競合するときに消費されるリソースを削減し、ＳＴＡのエネルギー利用率を改善することができる。
【図面の簡単な説明】
【０００９】
【図１】本発明の一実施形態によるデータ伝送方法の概略フローチャートである。
【図２】本発明の一実施形態によるデータ伝送方法の概略フローチャートである。
【図３】本発明の一実施形態による局の概略構成図である。
【図４】本発明の一実施形態によるアクセス・ポイントの概略構成図である。
【発明を実施するための形態】
【００１０】
以下、本発明の実施形態における添付図面を参照して、本発明の実施形態における技術的解決方法について明瞭かつ完全に記載する。当然のことながら、記載された実施形態は、本発明の実施形態の全部ではなく一部である。
【００１１】
図１は、本発明の一実施形態によるデータ伝送方法１００の概略フローチャートである。この方法は、無線ローカル・エリア・ネットワークに適用されてよく、例えば、アクセス・ポイントＡＰとユーザ局ＳＴＡとの間のデータ伝送に適用されてよい。図１に示されるように、方法１００は、以下のステップを含む。
【００１２】
１１０において、ＳＴＡは、指示フレームをＡＰに送信する。指示フレームは、該指示フレームのタイプが節電ポーリングＰＳ−ＰＯＬＬフレームであることを示すために用いられる第１の指示情報と、該指示フレームのデュレーションを示すために用いられる第２の指示情報とを含む。
【００１３】
１２０において、ＳＴＡは、第２の指示情報によって示されるデュレーション内にデータフレームをＡＰに送信する。
【００１４】
以下、具体的な例を参照して、本発明の実施形態において提供される方法の実施プロセスについて、さらに詳細に記載する。
【００１５】
ＷＬＡＮでは、ＡＰがＳＴＡのデータをキャッシュする場合、該ＡＰは、ビーコン（Ｂｅａｃｏｎ）フレームを使用することによりＳＴＡに通知する。ＳＴＡは、ビーコンフレームを受信した後、本発明の実施形態の解決方法に従ってＡＰからデータを要求することができる。
【００１６】
本発明の実施形態によれば、ステップ１１０において、ＳＴＡによってＡＰに送信された指示フレームは、媒体アクセス制御（Ｍｅｄｉａ  Ａｃｃｅｓｓ  Ｃｏｎｔｒｏｌ、略称ＭＡＣ）層の拡張ＰＳ−ＰＯＬＬフレームであってよい。拡張ＰＳ−ＰＯＬＬフレームは、デュレーション（Ｄｕｒａｔｉｏｎ）フィールドを含む。この場合、第１の指示情報は、拡張ＰＳ−ＰＯＬＬフレームのフレーム制御（Ｆｒａｍｅ  Ｃｏｎｔｒｏｌ）フィールドで搬送することができ、第２の指示情報は、Ｄｕｒａｔｉｏｎフィールドで搬送することができる。例えば、Ｄｕｒａｔｉｏｎフィールド内の第２の指示情報によって示されるＴＸＯＰ時間制限は、例えば３．００８ｍｓまたは１．５０４ｍｓである。
【００１７】
拡張ＰＳ−ＰＯＬＬフレームが受信されると、別のＳＴＡはそれに応じて、ＰＳ−ＰＯＬＬを送信するＳＴＡがＴＸＯＰ時間制限内にＡＰからダウンリンク・データを受信しアップリンク・データをＡＰに送信することができるように、Ｄｕｒａｔｉｏｎフィールドに従って自身のネットワーク割り当てベクトル（Ｎｅｔｗｏｒｋ  Ａｌｌｏｃａｔｉｏｎ  Ｖｅｃｔｏｒ、略称ＮＡＶ）を設定する。
【００１８】
この場合、ＡＰがキャッシュされたデータをＳＴＡに送信することができる場合、ＡＰは、ショート・インターフレーム・スペース（Ｓｈｏｒｔ  Ｉｎｔｅｒ−Ｆｒａｍｅ  Ｓｐａｃｅ、略称ＳＩＦＳ）時間後にデータをＳＴＡに送信する。ＡＰがキャッシュされたデータをＳＴＡに送信できない場合、ＡＰは、ＳＩＦＳ時間後に肯定応答（Ａｃｋｎｏｗｌｅｄｇｅｍｅｎｔ、略称ＡＣＫ）フレームをＳＴＡに送信する。ＳＴＡがＡＰによって送信されたダウンリンク・データを受信するのかＡＣＫフレームを受信するのかとは無関係に、ＳＴＡは、第２の指示情報によって示されたＴＸＯＰ時間制限内にアップリンク・データをＡＰに送信することができる。すなわち、再びチャネルを競合することなくステップ１２０を実施することができる。
【００１９】
本発明の実施形態によれば、ステップ１１０において、ＳＴＡによってＡＰに送信される指示フレームは、ＭＡＣ層の制御フレームであってもよく、制御フレームは、制御ラッパー（Ｃｏｎｔｒｏｌ  Ｗｒａｐｐｅｒ）フレームであってもよい。制御ラッパー・フレームのキャリード・フレーム制御（Ｃａｒｒｉｅｄ  Ｆｒａｍｅ  Ｃｏｎｔｒｏｌ）フィールドは、該制御ラッパー・フレームがＰＳ−ＰＯＬＬフレームとして使用されることを示すのに用いられる第１の指示情報を搬送し、制御ラッパー・フレームのデュレーション／ＩＤ（Ｄｕｒａｔｉｏｎ／ＩＤ）フィールドは、第２の指示情報を搬送する。例えば、Ｄｕｒａｔｉｏｎ／ＩＤフィールド内の第２の指示情報によって示されるＴＸＯＰ時間制限は、例えば３．００８ｍｓまたは１．５０４ｍｓである。当業者には当然であるように、制御ラッパー・フレームの別のフィールドは、技術的要件またはＳＴＡの要件に従って設定されてよい。
【００２０】
前述のとおり、制御ラッパー・フレームが受信されると、別のＳＴＡはそれに応じて、制御ラッパー・フレームを送信するＳＴＡがＴＸＯＰ時間制限内にＡＰからダウンリンク・データを受信しアップリンク・データをＡＰに送信することができるように、Ｄｕｒａｔｉｏｎ／ＩＤフィールド内の第２の指示情報に従って自身のネットワーク割り当てベクトル（Ｎｅｔｗｏｒｋ  Ａｌｌｏｃａｔｉｏｎ  Ｖｅｃｔｏｒ、略称ＮＡＶ）を設定する。
【００２１】
本発明の実施形態の別の代替的な解決方法によれば、ステップ１１０において、ＳＴＡによってＡＰに送信される指示フレームは、ＭＡＣフレームヘッダをもたない純粋な物理層データフレーム、例えばヌル・データ・パケット（Ｎｕｌｌ  Ｄａｔａ  Ｐａｃｋｅｔ、略称ＮＤＰ）でもあってもよい。概して、ＮＤＰは、ショート・トレーニング・フィールド（Ｓｈｏｒｔ  Ｔｒａｉｎｉｎｇ  Ｆｉｅｌｄ、ＳＴＥ）と、ロング・トレーニング・フィールド１（Ｌｏｎｇ  Ｔｒａｉｎｉｎｇ  Ｆｉｅｌｄ  １、略称ＬＴＥ  １）と、シグナル・フィールド（Ｓｉｇｎａｌ  Ｆｉｅｌｄ、略称ＳＩＧ）とを含む。本発明の実施形態によれば、第１の指示情報および第２の指示情報は、ＳＩＧフィールドで搬送することができる。ここで、第１の指示情報は、該ＮＤＰがＰＳ−ＰＯＬＬフレームとして使用されることを示し、第２の指示情報は、ＰＳ−ＰＯＬＬフレームによって確保されるチャネルのデュレーション／長さを示す。例えば、ＳＩＧフィールド内の第２の指示情報によって示されるＴＸＯＰ時間制限は、例えば３．００８ｍｓまたは１．５０４ｍｓである。さらに、当業者には当然であるように、ＳＩＧフィールドは、ＡＰのアドレスと該ＮＤＰを送信するＳＴＡのアドレスとをさらに搬送してよい。
【００２２】
本発明の実施形態によれば、指示フレームは、サービス品質（Ｑｕａｌｉｔｙ  ｏｆ  Ｓｅｒｖｉｃｅ、略称ＱｏＳ）制御フィールドを含んでよい。ここで、ＱｏＳ制御フィールドで搬送される指示フレームのＱｏＳレベルは、アクセス・カテゴリ＿ビデオ（Ａｃｃｅｓｓ  Ｃａｔｅｇｏｒｙ＿Ｖｉｄｅｏ、略称ＡＣ＿ＶＩ）レベルまたはアクセス・カテゴリ＿ボイス（Ａｃｃｅｓｓ  Ｃａｔｅｇｏｒｙ＿Ｖｏｉｃｅ、略称ＡＣ＿ＶＯ）レベルであり、ＴＸＯＰ時間制限は、ＡＣ＿ＶＩレベルの場合は３．００８ｍｓであり、ＡＣ＿ＶＯレベルの場合は１．５０４ｍｓである。
【００２３】
以上、ＳＴＡの観点から本発明の実施形態の解決方法について記載した。これに応じて、ＡＰの観点から、図２に示されるように、本発明の一実施形態において提供されるデータ伝送方法２００は、以下のステップを含む。
【００２４】
２１０において、ＳＴＡによって送信された指示フレームを受信する。指示フレームは、該指示フレームのタイプが節電ポーリングＰＳ−ＰＯＬＬフレームであることを示すために用いられる第１の指示情報と、該指示フレームのデュレーションを示すために用いられる第２の指示情報とを含む。
【００２５】
２２０において、第２の指示情報によって示されるデュレーション内に、ＳＴＡによって送信されたデータフレームを受信する。
【００２６】
上記内容によれば、指示フレームは、ＭＡＣ層の拡張ＰＳ−ＰＯＬＬフレームである。拡張ＰＳ−ＰＯＬＬフレームは、フレーム制御フィールドで第１の指示情報を搬送する。また、拡張ＰＳ−ＰＯＬＬフレームはデュレーションフィールドを含み、該デュレーションフィールドで第２の指示情報を搬送する。
【００２７】
上記内容によれば、指示フレームは、ＭＡＣ層の制御フレームである。制御フレームは制御ラッパー・フレームであり、該制御ラッパー・フレームは、キャリード・フレーム制御（Ｃａｒｒｉｅｄ  Ｆｒａｍｅ  Ｃｏｎｔｒｏｌ）フィールドで第１の指示情報を搬送し、デュレーション／ＩＤ（Ｄｕｒａｔｉｏｎ／ＩＤ）フィールドで第２の指示情報を搬送する。
【００２８】
上記内容によれば、指示フレームは、ＮＤＰである。ＮＤＰは、信号フィールドで第１の指示情報および第２の指示情報を搬送する。
【００２９】
上記内容によれば、指示フレームは、ＱｏＳ制御フィールドを含んでよい。ＱｏＳ制御フィールドで搬送される指示フレームのＱｏＳレベルは、ＡＣ＿ＶＩレベルまたはＡＣ＿ＶＯレベルであり、ＴＸＯＰ時間制限は、ＡＣ＿ＶＩレベルの場合は３．００８ｍｓであり、ＡＣ＿ＶＯレベルの場合は１．５０４ｍｓである。
【００３０】
本発明の実施形態によれば、ＳＴＡは、指示フレームを使用してＰＳ−ＰＯＬＬをＡＰに送信し、チャネルデュレーションを確保する。よって、ＳＴＡは、ＡＰによって送信されたダウンリンク・データ・フレームを受信した後にアップリンク・データ・フレームをＡＰに送信するときに、再びチャネルを競合する必要がなく、該ＳＴＡは１つのＴＸＯＰ内にダウンリンク・データを受信しアップリンク・データを送信することができる。その結果、ＳＴＡがチャネルを競合するときに消費されるリソースを削減し、ＳＴＡのエネルギー利用率を改善することができる。
【００３１】
本発明の実施形態は、本発明の実施形態におけるデータ伝送方法を実施するＡＰおよびＳＴＡをさらに提供する。該ＡＰおよびＳＴＡを別々に後述する。
【００３２】
図３は、本発明の一実施形態による局の概略構成図である。図３に示されるように、本発明の実施形態による局３００は、以下のユニットを有する。
送信ユニット３１０は、指示フレームをＡＰに送信するように構成される。指示フレームは、該指示フレームのタイプが節電ポーリングＰＳ−ＰＯＬＬフレームであることを示すために用いられる第１の指示情報と、該指示フレームのデュレーションを示すために用いられる第２の指示情報とを含む。
受信ユニット３２０は、第２に指示情報によって示されるデュレーション内にＳＴＡからＡＰにデータを送信するように構成される。
【００３３】
本発明の実施形態によれば、送信ユニット３１０によって送信される指示フレームは、ＭＡＣ層の拡張ＰＳ−ＰＯＬＬフレームである。拡張ＰＳ−ＰＯＬＬフレームは、フレーム制御フィールドで第１の指示情報を搬送する。また、拡張ＰＳ−ＰＯＬＬフレームはデュレーションフレームを含み、該デュレーションフィールドで第２の指示情報を搬送する。
【００３４】
本発明の実施形態によれば、送信ユニット３１０によって送信される指示フレームは、ＭＡＣ層の制御フレームである。制御フレームは制御ラッパー・フレームであり、該制御ラッパー・フレームは、Ｃａｒｒｉｅｄ  Ｆｒａｍｅ  Ｃｏｎｔｒｏｌフィールドで第１の指示情報を搬送し、Ｄｕｒａｔｉｏｎ／ＩＤフィールドで第２の指示情報を搬送する。
【００３５】
本発明の実施形態によれば、送信ユニット３１０によって送信される指示フレームは、ＮＤＰである。ＮＤＰは、信号フィールドで第１の指示情報および第２の指示情報を搬送する。
【００３６】
本発明の実施形態によれば、送信ユニット３１０によって送信される指示フレームは、ＱｏＳ制御フィールドを含んでよい。ＱｏＳ制御フィールドで搬送される指示フレームのＱｏＳレベルは、ＡＣ＿ＶＩレベルまたはＡＣ＿ＶＯレベルであり、ＴＸＯＰ時間制限は、ＡＣ＿ＶＩレベルの場合は３．００８ｍｓであり、ＡＣ＿ＶＯレベルの場合は１．５０４ｍｓである。
【００３７】
図４は、本発明の一実施形態によるアクセス・ポイント４００の概略構成図である。アクセス・ポイントは、ＷＬＡＮシステムにおけるアクセス・ポイントであってもよい。図４に示されるように、アクセス・ポイント４００は以下のユニットを有する。
受信ユニット４１０は、ＳＴＡによって送信された指示フレームを受信するように構成される。指示フレームは、該指示フレームのタイプがＰＳ−ＰＯＬＬフレームであることを示すために用いられる第１の指示情報と、該指示フレームのデュレーションを示すために用いられる第２の指示情報とを含む。
受信ユニット４１０はさらに、第２の指示情報によって示されるデュレーション内にＳＴＡによって送信されたデータフレームを受信するように構成される。
【００３８】
本発明の実施形態によれば、受信ユニット４１０によって受信される指示フレームは、ＭＡＣ層の拡張ＰＳ−ＰＯＬＬフレームである。拡張ＰＳ−ＰＯＬＬフレームは、フレーム制御フィールドで第１の指示情報を搬送する。また、拡張ＰＳ−ＰＯＬＬフレームはデュレーションフィールドを含み、該デュレーションフィールドで第２の指示情報を搬送する。
【００３９】
本発明の実施形態によれば、受信ユニット４１０によって受信される指示フレームは、ＭＡＣ層の制御フレームである。制御フレームは制御ラッパー・フレームであり、該制御ラッパー・フレームは、Ｃａｒｒｉｅｄ  Ｆｒａｍｅ  Ｃｏｎｔｒｏｌフィールドで第１の指示情報を搬送し、Ｄｕｒａｔｉｏｎ／ＩＤフィールドで第２の指示情報を搬送する。
【００４０】
本発明の実施形態によれば、受信ユニット４１０によって受信される指示フレームは、ＮＤＰである。ＮＤＰは、信号フィールドで第１の指示情報および第２の指示情報を搬送する。
【００４１】
本発明の実施形態によれば、受信ユニット４１０によって受信される指示フレームは、ＱｏＳ制御フィールドを含んでよい。ＱｏＳ制御フィールドで搬送される指示フレームのＱｏＳレベルは、ＡＣ＿ＶＩレベルまたはＡＣ＿ＶＯレベルであり、ＴＸＯＰ時間制限は、ＡＣ＿ＶＩレベルの場合は３．００８ｍｓであり、ＡＣ＿ＶＯレベルの場合は１．５０４ｍｓである。
【００４２】
当業者には当然であるように、本明細書に開示された実施形態に記載の実施例との組み合わせにおいて、ユニットおよびアルゴリズムステップは、電子ハードウェアまたはコンピュータソフトウェアと電子ハードウェアとの組み合わせによって実施されてよい。機能がハードウェアとソフトウェアのいずれによって実施されるのかは、技術的解決方法の具体的な適用と設計制約条件とによって決まる。当業者であれば、具体的な適用毎に、記載された機能を実施するために異なった方法を使用する可能性があるが、このような実施は、本発明の範囲を超えないものと考えられるべきである。
【００４３】
当業者には当然であるように、簡便な説明を目的として、上記のシステム、装置およびユニットの詳細な動作プロセスについて、上記の方法実施形態において対応するプロセスが参照されてよく、ここで詳細を再び説明することはしない。
【００４４】
なお、本出願において提供されたいくつかの実施形態において、開示されたシステム、装置および方法は、その他の方式で実施されてよい。例えば、記載された装置実施形態は、単なる例示である。例えば、ユニットの分割は、論理的な機能の分割に過ぎず、実際の実施では、その他の方式で分割されてよい。例えば、複数のユニットまたはコンポーネントは、別のシステムに組み合わされ、もしくは一体化されてよく、または、一部の特徴が削除され、もしくは実行されなくてもよい。さらに、図示または記載された相互結合または直接的な結合または通信接続は、何らかのインターフェースを使用することにより実施されてよい。装置間またはユニット間の間接的な結合または通信接続は、電気的であっても、機械的であっても、別の形式であってもよい。
【００４５】
別個の部分として記載されたユニットは、物理的に分離されてもされなくてもよく、ユニットとして示された部分は、物理的なユニットであってもなくてもよく、すなわち、１箇所に配置されてもよいし、複数のネットワーク・ユニットに分散されてもよい。ユニットの一部または全部は、実施形態の解決方法の目的を達成するために実際の必要性に従って選択されてよい。
【００４６】
本発明の実施形態における機能ユニットは、１つの処理ユニットに一体化されてもよく、ユニットの各々が物理的に単独で存在してもよく、または、２つ以上のユニットが１つのユニットに一体化されてもよい。
【００４７】
機能がソフトウェア機能ユニットの形式で実施され、独立した製品として販売または使用されるとき、該機能は、コンピュータ読み取り可能な記憶媒体に記憶されてよい。このような理解に基づいて、本発明の技術的解決方法はもちろん、従来技術に貢献する部分または技術的解決方法の一部は、ソフトウェア製品の形式で実施されてよい。ソフトウェア製品は記憶媒体に記憶され、コンピュータ機器（パーソナルコンピュータ、サーバー、ネットワーク機器などであってもよい）に本発明の実施形態で説明された方法のステップの全部または一部を実行させるいくつかの命令を含む。記憶媒体には、プログラムコードを記憶することができる任意の媒体、例えばＵＳＢフラッシュ・ドライブ、リムーバブル・ハード・ディスク、リード・オンリー・メモリ（ＲＯＭ、Ｒｅａｄ−Ｏｎｌｙ  Ｍｅｍｏｒｙ）、ランダム・アクセス・メモリ（ＲＡＭ、Ｒａｎｄｏｍ  Ａｃｃｅｓｓ  Ｍｅｍｏｒｙ）、磁気ディスク、光ディスクが含まれる。
【図１】
2015508263.tif 000003
【図２】
2015508263.tif 000004
【図３】
2015508263.tif 000005
【図４】
2015508263.tif 000006
【国際調査報告】
2015508263.tif 000007
2015508263.tif 000008
2015508263.tif 000009
2015508263.tif 000010
2015508263.tif 000011